(57)【要約】【課題】メインコンデンサの如き円柱状の電気部品であっても、確実に円周方向に位置決めすることができるストロボユニット組立方法。【解決手段】プリント配線基板をストロボユニット組立治具に装着する工程と、リード位置決め具をプリント配線基板の面と平行にストロボユニット組立治具に配置する工程と、電気部品をストロボユニット組立治具に装着して、電気部品における略Ｌ字形に曲折された２本のリードの先端部をプリント配線基板に設けた挿入部に挿入すると共に、該２本のリードの根本部をリード位置決め具に当接させる工程と、２本のリードの先端部をプリント配線基板の面に設けた導電性パターンに半田付けする工程と、を備えたこと。【選択図】        図４
2004271942.tif 000002
【特許請求の範囲】
【請求項１】
円柱形の電気部品の長手方向をプリント配線基板の面に略平行に配置し、ストロボユニット組立治具を用いて前記電気部品を前記プリント配線基板に実装するストロボユニット組立方法において、
前記プリント配線基板をストロボユニット組立治具に装着する工程と、
リード位置決め具を前記プリント配線基板の面と平行に前記ストロボユニット組立治具に配置する工程と、
前記電気部品を前記ストロボユニット組立治具に装着して、前記電気部品における略Ｌ字形に曲折された２本のリードの先端部を前記プリント配線基板に設けた挿入部に挿入すると共に、該２本のリードの根本部を前記リード位置決め具に当接させる工程と、
前記２本のリードの先端部を前記プリント配線基板の面に設けた導電性パターンに半田付けする工程と、
を備えたことを特徴とするストロボユニット組立方法。
【請求項２】
前記２本のリードの先端部を前記プリント配線基板の面に設けた導電性パターンに半田付けした後、前記リード位置決め具を前記プリント配線基板の面と平行な方向に引き抜く工程を備えたことを特徴とする請求項１に記載のストロボユニット組立方法。
【請求項３】
円柱形の電気部品の長手方向をプリント配線基板の面に略平行に配置し、ストロボユニット組立治具を用いて前記電気部品を前記プリント配線基板に実装するストロボユニット組立方法において、
前記プリント配線基板をストロボユニット組立治具に装着する工程と、
前記電気部品を前記ストロボユニット組立治具に装着して、前記電気部品における略Ｌ字形に曲折された２本のリードの先端部を前記プリント配線基板に設けた挿入部に挿入する工程と、
前記プリント配線基板の面と平行に配置したリード位置決め具にて上方より前記電気部品における２本のリードの根本部を押圧する工程と、
前記２本のリードの先端部を前記プリント配線基板の面に設けた導電性パターンに半田付けする工程と、
を備えたことを特徴とするストロボユニット組立方法。
【請求項４】
前記ストロボユニット組立治具は複数のストロボユニットを装着可能であり、複数の前記電気部品の各リードが１個の前記リード位置決め具に当接することを特徴とする請求項１〜３の何れか１項に記載のストロボユニット組立方法。
【請求項５】
前記リード位置決め具がピアノ線より形成されていることを特徴とする請求項１〜４の何れか１項に記載のストロボユニット組立方法。
【請求項６】
前記電気部品がメインコンデンサであることを特徴とする請求項１〜５の何れか１項に記載のストロボユニット組立方法。
【請求項７】
円柱形の電気部品の長手方向をプリント配線基板の面に略平行に配置し、前記電気部品を前記プリント配線基板に実装するストロボユニット組立治具において、
前記プリント配線基板を装着するプリント配線基板用装着部と、
前記電気部品を装着する電気部品用装着部と、
前記電気部品の２本のリードの根本部と当接し、該２本のリードの根本部を前記プリント配線基板の面と平行に配置するためのリード位置決め具と、
を備えたことを特徴とするストロボユニット組立治具。
【請求項８】
前記ストロボユニット組立治具は複数のストロボユニットを装着可能であり、複数の前記電気部品の各リードが１個の前記リード位置決め具に当接することを特徴とする請求項７に記載のストロボユニット組立治具。
【請求項９】
前記リード位置決め具がピアノ線より形成されていることを特徴とする請求項７又は請求項８に記載のストロボユニット組立治具。
【請求項１０】
前記電気部品がメインコンデンサであることを特徴とする請求項７〜９の何れか１項に記載のストロボユニット組立治具。
【発明の詳細な説明】
【０００１】
【発明の属する技術分野】
本発明は、カメラに内蔵するストロボユニットを組み立てるストロボユニット組立方法、及びストロボユニット組立治具に関する。
【０００２】
【従来の技術】
従来より、ストロボを内蔵したカメラは多数市販されている。そして、ストロボ光を発光するストロボ発光部、ストロボ光を発光させるための電荷を充電するメインコンデンサ、電源となる電池を保持する電池接片等が、充電回路や発光回路を構成する各種の電気部品を実装したプリント配線基板に装着されて、ストロボユニットとして一体化していることが多い。このようにストロボユニットとすることにより、検査や管理が容易になる。
【０００３】
ストロボユニットを組み立てるとき、リードを有する電気部品については、プリント配線基板に設けた孔にリードを挿入し、この孔の周囲に設けた導電性パターンにリードを半田付けしている。
【０００４】
この一例を図１２及び図１３により説明する。
図１２はメインコンデンサをプリント配線基板に実装したときの側面図であり、図１３は図１２における右側面図である。
【０００５】
メインコンデンサ１４をプリント配線基板１１に実装する場合に、図１２に示す如くメインコンデンサ１４をプリント配線基板１１の上方に配置せずに側方に配置し、メインコンデンサ１４のリード１４ａのみをプリント配線基板１１の上方に位置させ、リード１４ａを曲折してその先端部１４ａ１をプリント配線基板１１に設けた孔に挿入して半田付けすることが、しばしば行われる。これは、カメラを可能な限り小型にするために、図１２の上下方向においては、メインコンデンサ１４とプリント配線基板１１が重ならないようにして、プリント配線基板１１の板厚に相当する寸法を縮小化したものである。
【０００６】
また、ストロボ発光部、プリント配線基板及びメインコンデンサ等を位置決めして、ストロボユニットを大量に生産することができるストロボユニット組立治具が特許文献１に記載されている。
【０００７】
【特許文献１】
特開２００２−８２３７３号公報
【０００８】
【発明が解決しようとする課題】
特許文献１に記載のストロボユニット組立治具を用いてストロボユニットを組み立てれば、均一の品質のストロボユニットを大量に組み立てることができ、製造効率が向上する。この場合にプリント配線基板に多種の電気部品を装着して半田付けするが、その電気部品が小さければ、傾いた状態で半田付けされたとしても半田付けそのものが確実に行われているならば問題は生じない。しかし、大きな電気部品であると、傾いて半田付けされたときに他の部品に影響を及ぼすことがある。
【０００９】
この一例として、前述の図１２及び図１３に示した如きメインコンデンサ１４をプリント配線基板１１に実装する場合、ストロボユニット組立治具を用いることにより長手方向にはプリント配線基板１１の面と確実に平行になるように実装できる。しかし、メインコンデンサ１４は円柱状に形成されているので、特許文献１に記載のストロボユニット組立治具を用いても円周方向には位置決めし難い。
【００１０】
この結果、図１４の如くメインコンデンサ１４はプリント配線基板１１に正規の姿勢で実装されずに、メインコンデンサ１４が円周方向に傾いて実装されがちである。メインコンデンサ１４のリード１４ａの径に対してプリント配線基板１１に設けた孔の径があまり大きくなければメインコンデンサの傾き量が小さいが、メインコンデンサ１４のリード１４ａをプリント配線基板１１に設けた孔に容易に挿入できるようにして組み立て作業の効率化を図るために、メインコンデンサ１４のリード１４ａの径に対してプリント配線基板１１に設けた孔の径は充分に大きく形成されているのが一般的であるので、メインコンデンサ１４は大きく傾くことがある。
【００１１】
また、カメラを小型化するためにはストロボユニットを小型化する必要があり、図１２乃至図１４に示す如く、メインコンデンサ１４のリード１４ａの先端が位置するプリント配線基板１１の背面側には、例えばストロボユニットの電源となる電池を保持するための電池接片１５が配置されていることがある。
【００１２】
このようなときに、図１４の如くメインコンデンサ１４が傾いて実装されると、一方のリード１４ａの先端部１４ａ１がプリント配線基板１１の背面より長く突出し、電池接片１５に当接してショートする危険性がある。
【００１３】
また、このようなことを予想してリード１４ａの長さを短くしておくと、他方のリード１４ａがプリント配線基板１１に設けた孔に充分に挿入されずに抜け掛かった状態になって、リード１４ａの半田付けが不安定になることもある。
【００１４】
従って、ストロボユニット組立治具を用いても円柱形の電気部品をプリント配線基板に実装するときは、その電気部品の円周方向の姿勢を確認しながら正規の位置になるように調整しなければならない。
【００１５】
本発明はかかる問題に鑑みてなされたものであり、メインコンデンサの如き円柱状の電気部品であっても、確実に円周方向に位置決めすることができるので調整が不要であり、該電気部品リードの先端が他の部品に当接してショート等をしたり、リードがプリント配線基板より抜け掛かった状態で不安定な半田付けがされるといった問題が生ずることのないストロボユニット組立方法及びストロボユニット組立治具を提案することを発明の目的とする。
【００１６】
【課題を解決するための手段】
上記目的は下記の何れかの手段により達成される。
【００１７】
▲１▼円柱形の電気部品の長手方向をプリント配線基板の面に略平行に配置し、ストロボユニット組立治具を用いて前記電気部品を前記プリント配線基板に実装するストロボユニット組立方法において、前記プリント配線基板をストロボユニット組立治具に装着する工程と、リード位置決め具を前記プリント配線基板の面と平行に前記ストロボユニット組立治具に配置する工程と、前記電気部品を前記ストロボユニット組立治具に装着して、前記電気部品における略Ｌ字形に曲折された２本のリードの先端部を前記プリント配線基板に設けた挿入部に挿入すると共に、該２本のリードの根本部を前記リード位置決め具に当接させる工程と、前記２本のリードの先端部を前記プリント配線基板の面に設けた導電性パターンに半田付けする工程と、を備えたことを特徴とするストロボユニット組立方法。
【００１８】
▲２▼円柱形の電気部品の長手方向をプリント配線基板の面に略平行に配置し、ストロボユニット組立治具を用いて前記電気部品を前記プリント配線基板に実装するストロボユニット組立方法において、前記プリント配線基板をストロボユニット組立治具に装着する工程と、前記電気部品を前記ストロボユニット組立治具に装着して、前記電気部品における略Ｌ字形に曲折された２本のリードの先端部を前記プリント配線基板に設けた挿入部に挿入する工程と、前記プリント配線基板の面と平行に配置したリード位置決め具にて上方より前記電気部品における２本のリードの根本部を押圧する工程と、前記２本のリードの先端部を前記プリント配線基板の面に設けた導電性パターンに半田付けする工程と、を備えたことを特徴とするストロボユニット組立方法。
【００１９】
▲３▼円柱形の電気部品の長手方向をプリント配線基板の面に略平行に配置し、前記電気部品を前記プリント配線基板に実装するストロボユニット組立治具において、前記プリント配線基板を装着するプリント配線基板用装着部と、前記電気部品を装着する電気部品用装着部と、前記電気部品の２本のリードの根本部と当接し、該２本のリードの根本部を前記プリント配線基板の面と平行に配置するためのリード位置決め具と、を備えたことを特徴とするストロボユニット組立治具。
【００２０】
【発明の実施の形態】
本発明のストロボユニット組立方法及びストロボユニット組立治具に関する実施の形態を、図を参照して以下に説明する。
【００２１】
先ず、ストロボユニット組立治具を用いて組み立てるストロボユニットの一例を、図１を参照して説明する。図１はストロボユニットを前方から見た斜視図である。
【００２２】
図１に示すストロボユニット１において、プリント配線基板１１にはストロボの基本回路を構成する電気部品が実装されており、背面１１ｂには充電回路や発光回路等を構成するリード付き電気部品が配置され、これらの電気部品のリードがプリント配線基板１１に設けた孔を貫通して前面１１ａに設けた図示していない導電性パターンに半田付けされている。
【００２３】
１２はストロボ発光部であり、不図示の放電管及び反射傘、ストロボパネル１２１、及びこれらの３部品を保持する保持部材１２２からなり、背面１１ｂ側に位置して表示されない腕部によってプリント配線基板１１に保持されている。
【００２４】
１３はメインスイッチ接片であり、不図示の外装部材に設けたメインスイッチボタンの操作に伴って押圧され、プリント配線基板１１に設けた導電性パターンを短絡させることによって、メインスイッチがオン状態になる。
【００２５】
１４は放電管を発光させるための電荷を充電するメインコンデンサであり、２本のリード１４ａを除いてプリント配線基板１１の側方に配置され、その長手方向がプリント配線基板１１の前面１１ａと略平行であって、リード１４ａが突出している端面がプリント配線基板の左端面と当接している。また、２本のリード１４ａがプリント配線基板１１の前面１１ａからプリント配線基板１１に設けた孔（挿入部）に挿入され、前面１１ａに設けた不図示の導電性パターンに半田付けされている。
【００２６】
１５は電源となる電池を保持する正極用電池接片であり、メインコンデンサ１４の長手方向に沿って配置されていると共に、背面１１ｂ側に突出したメインコンデンサ１４のリード１４ａの先端部の近傍に位置している。
【００２７】
なお、メインコンデンサ１４のリード１４ａが挿入される挿入部としては、プリント配線基板１１に設けた孔に限るものではなく、プリント配線基板１１に設けた切り欠きであってもよい。
【００２８】
次に、ストロボユニット組立治具を用いてメインコンデンサ１４をプリント配線基板１１に実装する方法を図２乃至図５に基づいて説明する。
【００２９】
図２はストロボユニット組立治具の斜視図、図３はストロボユニット組立治具の上面図、図４はストロボユニット組立治具にストロボユニットを装着した状態の斜視図、図５はメインコンデンサをプリント配線基板に実装したときの側面図、図６は図５における右側面図である。
【００３０】
ここで、プリント配線基板１１にはメインコンデンサ１４を除いた全ての部品が半田付け等により既に実装されているものとし、このような半完成品のストロボユニットをストロボユニット組立治具３１に装着してメインコンデンサ１４をプリント配線基板１１に実装するものとする。
【００３１】
先ず、プリント配線基板１１の背面１１ｂをストロボユニット組立治具３１の４カ所の面部３１ａに当接させて前後方向（プリント配線基板１１の板厚方向）の位置決めをして、プリント配線基板１１をストロボユニット組立治具３１に装着する。また、保持部材１２２の裏側に設けた不図示の穴に位置決めピン３１ｂを挿入し、且つ、プリント配線基板１１の左右の側壁を２カ所の位置決めピン３１ｃの側壁に当接させて、上下左右方向（プリント配線基板１１の前面１１ａ及び背面１１ｂと平行な方向）の位置決めをする。
【００３２】
なお、特許請求の範囲におけるプリント配線基板用装着部とは、前述の如くプリント配線基板１１を装着する部所を指す。
【００３３】
次に、図４に示す如き長いピアノ線から形成されたリード位置決め具３２の端部をストロボユニット組立治具３１の上下端に各々設けた溝３１ｄに挿入し、リード位置決め具３２をプリント配線基板１１の前面１１ａと平行に配置する。
【００３４】
続いて、メインコンデンサ１４（円柱形の電気部品）における略Ｌ字形に曲折された２本のリード１４ａの先端部をプリント配線基板１１に設けた孔に挿入し、２本のリード１４ａの根本部の下部をリード位置決め具３２に当接させる。そして、メインコンデンサ１４をストロボユニット組立治具３１の面部３１ｅ及び壁部３１ｆに当接させて、メインコンデンサ１７を前後方向及び上下方向に位置決めし、ストロボユニット組立治具３１に装着する。
【００３５】
ここで、リード１４ａの先端部とは略Ｌ字形に曲折された曲折部から先端側の部分を意味し、リード１４ａの根本部とは曲折部から根本側（メインコンデンサ１４側）の部分を意味する。
【００３６】
なお、特許請求の範囲における電気部品用装着部とは、前述の如くメインコンデンサ１４を装着する部所を指す。
【００３７】
以上の如く、プリント配線基板１１、リード位置決め具３２、メインコンデンサ１４の順でストロボユニット組立治具３１に装着すると、図５及び図６に示す如く、メインコンデンサ１４の２本のリード１４ａの根本部１４ａ２の下部がリード位置決め具３２の上部に当接する。従って、２本のリード１４ａの根本部１４ａ２はプリント配線基板１１の前面１１ａと平行に保持され、メインコンデンサ１４は円周方向に回転することなく位置決めされる。従って、一方のリード１４ａの先端部１４ａ１がプリント配線基板１１の裏面１１ｂから大きく突出して正極用電池接片１５等の他の部品に当接するようなことは生じない。
【００３８】
なお、リード１４ａの根本部１４ａ２とプリント配線基板１１の前面１１ａとの間隔が正規の寸法に保持されるならば、リード位置決め具３２の下部がプリント配線基板１１の前面１１ａに当接してもよい。
【００３９】
その後、メインコンデンサ１４の２本のリード１４ａをプリント配線基板１１の表面１１ａに設けた導電性パターンに半田付けして、ストロボユニット１が完成する。
【００４０】
なお、上記の実施の形態ではメインコンデンサを位置決めしたが、必ずしもメインコンデンサに限定されるものではなく、円柱形をしていてリードを有する他のコンデンサや抵抗等の電気部品であってもよい。
【００４１】
また、メインコンデンサ等を位置決めするリード位置決め具としては、必ずしもピアノ線に限定されるものではなく、半田付けの際の熱によって溶融されない材料であれば、他の材料で形成してもよい。但し、半田が付着し難い材料であることが好ましく、この点からセラミックで形成してもよい。
【００４２】
また、上記のストロボユニット組立治具３１は一つのストロボユニット１を装着するものであったが、複数のストロボユニット組立治具３１を溝３１ｄが一直線に接続するように連設すると共に、長いリード位置決め具を用い、一つのストロボユニット組立治具及び１本のリード位置決め具で複数のストロボユニット１を組み立てできるようにしてもよい。
【００４３】
更に、上記の実施の形態ではメインコンデンサ１４のリード１４ａの根本部１４ａ２の下部にピアノ線からなるリード位置決め具３２を当接させたが、これとは逆にメインコンデンサ１４のリード１４ａの根本部１４ａ２の上部にリード位置決め具を配置して上方より押圧するようにしてもよい。
【００４４】
この一例を図７及び図８に基づいて説明する。図７はメインコンデンサをプリント配線基板に実装したときの側面図、図８は図７における右側面図である。
【００４５】
プリント配線基板１１及びメインコンデンサ１４をストロボユニット組立治具３１に位置決めし装着するのは前述と同様であるが、メインコンデンサ１４の２本のリード１４ａの先端部１４ａ１をプリント配線基板１１に設けた孔に挿入した後、リード位置決め具３３により上方よりメインコンデンサ１４のリード１４ａの根本部１４ａ２を押圧する。これにより、仮にメインコンデンサ１４が円周方向に回転していて、一方のリード１４ａの根本部１４ａ２が基準値よりも高い姿勢になっていても、上方よりリード位置決め具３３により押圧されて、図８の如く２本のリード１４ａの根本部１４ａ２は同一高さに是正される。従って、一方のリード１４ａの先端部１４ａ１のみがプリント配線基板１１の裏面１１ｂから大きく突出して正極用電池接片１５等の他の部品に当接するようなことは生じない。
【００４６】
その他に、上記の実施の形態ではメインコンデンサ１４のリード１４ａが設けられている端面とプリント配線基板１１の端面とが当接しているが、これらの両端面が離れていてもい。例えばメインコンデンサ１４とプリント配線基板１１が図９の如く配置され、メインコンデンサ１４のリード１４ａの先端部１４ａ１の下方には接触すると問題が生ずる部品１６があったとする。このような場合には、リード位置決め具３２に代えて長いリード位置決め部３１ｇをストロボユニット組立治具３１から突出させ、メインコンデンサ１４の２本のリード１４ａの根本部１４ａ２をリード位置決め部３１ｇに当接させてもよい。この結果、２本のリード１４ａは水平に保持され、メインコンデンサ１４は円周方向に回転することなく位置決めされる。
【００４７】
また、図１０の上面図に示す如く、メインコンデンサ１４のリード１４ａが設けられている端面１４ｂとプリント配線基板２１の端面２１ａとが僅かに離れていて、更にリード１４ａをプリント配線基板２１に設けた切り欠き２１ａに挿入して半田付けすることがある。このようなときに、図９に示した構成を用いると、リード位置決め部３１ｇが非常に薄くなって脆弱になる。
【００４８】
そこで、図１１に示す如く、前述のストロボユニット組立治具３１にリード位置決め部３４を設け、リード位置決め部３４における第１位置決め部３４ａをプリント配線基板２１の切り欠き２１ａに挿入し、第２位置決め部３４ｂをメインコンデンサ１４の端面１４ｂとプリント配線基板２１の端面２１ｂとの間の間隙Ｃに挿入する。このようにすれば、第１位置決め部３４ａと第２位置決め部３４ｂとの各上面によってメインコンデンサ１４の２本のリード１４ａは水平に保持され、メインコンデンサ１４は円周方向に回転することなく位置決めされる。また、第２位置決め部３４ａの幅が薄くても強度的に問題になることがない。更に、第２位置決め部３４ｂの側壁にメインコンデンサ１４の端面１４ｂを当接させることによって、メインコンデンサ１４は長手方向に位置決めされる。
【００４９】
その他に、以上の実施の形態においては、メインコンデンサ１４がプリント配線基板１１の側方に配置されていたが、メインコンデンサ１４の一部若しくは全部がプリント配線基板１１の上に重なって配置されていてもよい。
【００５０】
【発明の効果】
本発明のストロボユニット組立方法及びストロボユニット組立治具によれば、メインコンデンサの如き円柱状の電気部品であっても、確実に円周方向に位置決めすることができるので調整が不要であり、該電気部品のリードの先端が他の部品に当接してショート等をしたり、リードがプリント配線基板より抜け掛かった状態で不安定な半田付けがされるといった問題が生ずることのない。
【図面の簡単な説明】
【図１】ストロボユニットを前方から見た斜視図である。
【図２】ストロボユニット組立治具の斜視図である。
【図３】ストロボユニット組立治具の上面図である。
【図４】ストロボユニット組立治具にストロボユニットを装着した状態の斜視図である。
【図５】メインコンデンサをプリント配線基板に実装したときの側面図である。
【図６】図５における右側面図である。
【図７】メインコンデンサをプリント配線基板に実装したときの他の形態の側面図である。
【図８】図７における右側面図である。
【図９】メインコンデンサをプリント配線基板に実装したときの他の形態の側面図である。
【図１０】メインコンデンサをプリント配線基板に実装したときの他の形態の上面図である。
【図１１】メインコンデンサをプリント配線基板に実装したときの他の形態の斜視図である。
【図１２】メインコンデンサをプリント配線基板に実装したときの側面図である。
【図１３】図１２における右側面図である。
【図１４】正規に実装されていないメインコンデンサの右側面図である。
【符号の説明】
１  ストロボユニット
１１，２１  プリント配線基板
１１ａ  前面
１１ｂ  背面
１４  メインコンデンサ
１４ａ  リード
１４ａ１  先端部
１４ａ２  根本部
１５  正極用電池接片
３１  ストロボユニット組立治具
３１ｇ，３４  リード位置決め部
３２，３３  リード位置決め具
【図１】
2004271942.tif 000003
【図２】
2004271942.tif 000004
【図３】
2004271942.tif 000005
【図４】
2004271942.tif 000006
【図５】
2004271942.tif 000007
【図６】
2004271942.tif 000008
【図７】
2004271942.tif 000009
【図８】
2004271942.tif 000010
【図９】
2004271942.tif 000011
【図１０】
2004271942.tif 000012
【図１１】
2004271942.tif 000013
【図１２】
2004271942.tif 000014
【図１３】
2004271942.tif 000015
【図１４】
2004271942.tif 000016